(57)【特許請求の範囲】
【請求項１】
人工呼吸器によって呼吸管理を行う場合に口から気管に挿通させた気管内チューブを固定する金具であって、人体当接面側へ樹脂層をコーティングさせた平板杆状の固定金具本体を湾曲自在な部材で形成し、該固定金具本体の長手方向の略中央の縁辺へチューブ受部を延設させ、該チューブ受部を気管内チューブの外径に沿った樋状に湾曲させると共に非人体当接面側へ略直角に折曲させたことを特徴とする未熟児、新生児用気管内チューブの固定金具。
【請求項２】
人工呼吸器によって呼吸管理を行う場合に口から気管に挿通させた気管内チューブを固定する金具であって、人体当接面側へ樹脂層をコーティングさせた平板杆状の固定金具本体を湾曲自在な部材で形成すると共に、気管内チューブの外径に沿った樋状にチューブ受部を形成し、前記固定金具本体の長手方向の略中央の縁辺へチューブ受部の端部を非人体当接面側へ略直角にして接着又は溶着させたことを特徴とする未熟児、新生児用気管内チューブの固定金具。
【発明の詳細な説明】
【０００１】
【産業上の利用分野】
本発明は人工呼吸器によって呼吸管理の必要な未熟児及び新生児の口から気管内へ気管内チューブを挿通させて気道を確保するものであるが、未熟児及び新生児の体位の変換や体動等によって気管内チューブが抜けてしまうという事故が発生するため、口元で気管内チューブを固定するための未熟児、新生児用の固定金具に関するものである。
【０００２】
【従来技術】
従来、この種の気管内チューブを口元で固定する手段としては、気管内チューブを未熟児、新生児用の気管内へ挿通させて口元へ複数枚の医療用の接着テープを用いて貼付ていた。
【０００３】
又、棒状の部材を口と平行に配して、該棒状の部材の中央辺と気管内に挿通させた気管内チューブとを絹糸で結んで、棒状の部材の両端辺を医療用の接着テープで頬に貼着するものもあった。
【０００４】
【解決しようとする課題】
然し乍ら、複数枚の医療用の接着テープで気管内チューブを貼付た場合、接着テープと患者の頬等との貼着面積が大きく皮膚に屡々炎症が発生するばかりか、見た目にも痛々しく、面会者にも不安感を与えているものである。
【０００５】
又、棒状の部材と気管内チューブとを絹糸で結ぶ場合には、棒状の部材と気管内チューブとの距離をできるだけ短くして結ぶと共に、緩る過ぎないように、又、締め過ぎないようにしなければならず、最適に結ぶには熟練を必要としていた。
【０００６】
【発明の目的】
本発明は、前述の課題に鑑み、研鑽の結果創案したものであって、未熟児、新生児へ気管内チューブを固定するための固定金具を供するもので、安全に、且つ、容易に固定できる固定金具を提供する目的のものである。
【０００７】
【発明の構成】
本発明の第１実施例の構成は、人体当接面側へ樹脂層をコーティングさせた平板杆状の固定金具本体を湾曲自在な部材で形成し、固定金具本体の長手方向の略中央の縁辺へチューブ受部を延設させ、チューブ受部を気管内チューブの外径に沿った樋状に湾曲させると共に非人体当接面側へ略直角に折曲させた構成である。
【０００８】
本発明の第２実施例の構成は、人体当接面側へ樹脂層をコーティングさせた平板杆状の固定金具本体を湾曲自在な部材で形成すると共に、気管内チューブの外径に沿った樋状にチューブ受部を形成し、固定金具本体の長手方向の略中央の縁辺へチューブ受部の端部を非人体当接面側へ略直角にして接着又は溶着させた構成である。
【０００９】
【発明の作用】
本発明は前述の構成によって、平板杆状の固定金具本体を未熟児、新生児の顔の丸みに合わせて湾曲させ、口と平行に両端辺を医療用テープで貼付ると共に、気管内チューブをチューブ受部に載置させて医療用テープで貼付るだけで安全且つ容易に気管内チューブを固定できるものである。
【００１０】
【発明の実施例】
以下、実施例の図面によって、本発明の未熟児、新生児用の気管内チューブの固定金具を具体的に説明する。
【００１１】
図１は本発明の未熟児、新生児用の気管内チューブの固定金具の正面図であり、図２は未熟児、新生児用の気管内チューブの固定金具の平面図であり、図３は本発明の使用状態を表わす平面説明図である。
【００１２】
本発明は人工呼吸器によって呼吸管理の必要な未熟児及び新生児Ｆの口から気管内へ気管内チューブＣを挿通させて気道を確保するものであるが、未熟児及び新生児Ｆの体位の変換や体動等によって気管内チューブＣが抜けてしまうという事故が発生するため、口元で気管内チューブＣを固定するための未熟児、新生児用の固定金具に関するものであり、第１実施例では、人体当接面側へ樹脂層１ａをコーティングさせた平板杆状の固定金具本体１を湾曲自在な部材で形成し、該固定金具本体１の長手方向の略中央の縁辺へチューブ受部２を延設させ、該チューブ受部２を気管内チューブＣの外径に沿った樋状に湾曲させると共に非人体当接面側へ略直角に折曲させたものである。
【００１３】
更に、第２実施例では、人体当接面側へ樹脂層１ａをコーティングさせた平板杆状の固定金具本体１を湾曲自在な部材で形成すると共に、気管内チューブＣの外径に沿った樋状にチューブ受部２を形成し、前記固定金具本体１の長手方向の略中央の縁辺へチューブ受部２の端部を非人体当接面側へ略直角にして接着又は溶着させたものである。
【００１４】
即ち、この種の人工呼吸器を用いて呼吸管理を行う際の気管内への挿管は救命救急の処置として行われることが多く、緊急性の高いものであり、未熟児、新生児Ｆの口から喉頭鏡と共に気管内へ気管内チューブＣの挿管を行い、気管内チューブＣの先端を気管に挿通させると同時に、その位置で素早く且つ的確に患者の口元で固定するものである。
【００１５】
本発明に用いる気管内チューブＣの未熟児、新生児用のものは内径が２ｍｍ乃至３．５ｍｍ程度のチューブであり、先端は若干の丸みを有した鋭角に加工され、基端へは人工呼吸器に連繋するためにコネクターを付設しており、可撓性の熱可塑性樹脂で形成されているものである。
【００１６】
そして、本発明の固定金具本体１は湾曲させた状態で保形できる湾曲自在なアルミニウム等の金属で形成された口の横巾より長い平板杆状のものであり、人体当接面側へは人体に影響の少ない樹脂層１ａをコーティングさせて設けているものである。
【００１７】
次いで、チューブ受部２は気管内チューブＣを載置して固定するものであって、気管内チューブＣの外径に沿ったアールを有する略半円形状の樋状に湾曲させているものであり、気管内チューブＣの先端が患者の気管に挿管したのを確認の上医療用のテープで貼着するものである。
【００１８】
本発明の第１実施例では、前記固定金具本体１と前記チューブ受部２とは一体にアルミニウム等の金属で形成するものであり、平板杆状の固定金具本体１の長手方向の略中央から矩形状のチューブ受部２の一端を接続して一体に延設させ、打ち抜き、図１及び図２に図示の如く、該矩形状のチューブ受部２を固定金具本体１に対して垂直方向へ略半円形状の樋状に湾曲させると共に、非人体当接面側へ略直角に折曲させて形成しているものである。
【００１９】
更に、本発明の第２実施例では、湾曲させた状態で保形できる湾曲自在なアルミニウム等の金属の平板杆状の固定金具本体１を形成し、人体当接面側へ樹脂層１ａをコーティングさせると共に、アルミニウム等の金属又は熱可塑性の樹脂等で気管内チューブＣの外径に沿ったアールを有する略半円形状の樋状に形成させたチューブ受部２を接着又は溶着させたものである。
【００２０】
つまり、平板杆状の固定金具本体１の長手方向の略中央の縁辺と樋状のチューブ受部２の略半円形状の底部と成る縁辺とを図１及び図２の如く、チューブ受部２を固定金具本体１に対して垂直方向へ且つ非人体当接面側へ略直角方向に接着剤を用いて接着、又は、溶接手段等によって溶着させたものである。
【００２１】
本発明は未熟児、新生児Ｆの気管に気管内チューブＣを挿通させて挿管の深さが決まったら、気管内チューブＣを確り把持して、固定金具本体１を口と平行に当てて、チューブ受部２の湾曲面へ気管内チューブＣ載置させて、医療用テープで気管内チューブＣとチューブ受部２を貼着すると共に、固定金具本体１の両端辺を患者の頬に医療用テープで貼着するものである。
【００２２】
【発明の効果】
本発明は前述の構成によって、気管内チューブの抜け防止が図れることは勿論のこと、見た目も小綺麗であり、医療用テープの患者との貼着面も少なく炎症を抑えることができ、誰もが訓練する必要なく安全に且つ容易に気管内チューブの固定が可能なものであり、極めて有意義な効果を奏するものである。
【図面の簡単な説明】
【図１】図１は本発明の未熟児、新生児用の気管内チューブの固定金具正面図である。
【図２】図２は未熟児、新生児用の気管内チューブの固定金具の平面図である。
【図３】図３は本発明の使用状態を表わす平面説明図である。
【符号の説明】
１      固定具本体
１ａ    樹脂層
２      チューブ受部
Ｃ      気管内チューブ
Ｆ      未熟児、新生児
【図１】
0003584319.tif 000002
【図２】
0003584319.tif 000003
【図３】
0003584319.tif 000004